(57)【特許請求の範囲】
【請求項１】
穀類を袋に充填して計量したのち下流側へ搬送するための計量搬送器と、前記計量搬送器の下流側に配設された前記穀類が充填された袋を下流側へ搬送するための下流側へ向かって下り勾配である傾斜ローラコンベアと、前記傾斜ローラコンベアの下流側に配設された前記穀類が充填された袋を所定の高さの上昇位置へ上昇させるための昇降装置とを備えた穀類計量搬送・昇降システムであって、
前記計量搬送器は、秤量台と、前記秤量台上に下流側に向かって下り勾配になるように傾斜自在に配設された傾斜角度可変ローラコンベアと、前記秤量台の両側部に前記傾斜角度可変ローラコンベアと干渉しないように立設された一対の袋立て器を備え、屈曲部が枢着された略Ｌ字状に屈曲したレバーの一端側に一体的に設けられたペダルを踏み込むと前記傾斜角度可変ローラコンベアが下流側に向かって下り勾配に傾斜するように構成されていることを特徴とする穀類計量搬送・昇降システム。
【請求項２】
傾斜ローラコンベアおよび傾斜角度可変ローラコンベアには、それぞれ大径ローラと小径ローラとが交互に配設されていることを特徴とする請求項１記載の穀類計量搬送・昇降システム。
【発明の詳細な説明】
【０００１】
【発明の属する技術分野】
本発明は、穀類を袋に充填して計量し、穀類が充填された袋を搬送方向下流側に配置された昇降装置へ搬送して所定の高さまで自動的に上昇させることができる穀類計量搬送・昇降システムに関するものである。
【０００２】
【従来の技術】
従来の穀類計量搬送・昇降システムの一例について説明する。図６に示すように、縦型穀類選別機５００における貯留タンク５０１の落下口５０２の直下に、電動機により駆動されるベルトコンベア１０２を備えた秤量器１０１を配置し、さらに、ベルトコンベア１０２の搬送方向下流側に、電動機により駆動される駆動ローラ２０１を有するローラコンベア２００と、昇降装置３００とが順次配置されている。
【０００３】
秤量器１０１は、ベルトコンベア１０２上に載置された袋４００に穀類を落下させて計量し、計量が完了するとベルトコンベア１０２が起動されて穀類が充填された袋４００をローラコンベア２００の駆動ローラ２０１上に搬送する。
【０００４】
ローラコンベア２００は、駆動ローラ２０１上に搬送された穀類が充填された袋４００を自由ローラ２０２上に搬送する。自由ローラ２０２上において、作業者が前記袋４００の開口部を閉塞したのち昇降装置３００の下降位置にある昇降台３０１上に前記袋４００を載置すると、昇降台３０１が自動的に所定の高さまで上昇する（特開平９−３０１６９５号公報参照）。
【０００５】
【発明が解決しようとする課題】
上記従来の技術では、秤量器のベルトコンベアおよびその下流側のローラコンベアはいずれも電動機により駆動されるため、前記電動機の起動および停止をタイミング良く行なうための制御装置を設ける必要があり、高価なものとなる。また、秤量器で計量を行なう際に、ベルトコンベア上において空の袋が倒れないように作業者が袋を支持しなければならない。
【０００６】
本発明は、上記従来の技術の有する問題点に鑑みてなされたものであって、作業者の負担が軽く、手動で操作できる安価な穀類計量搬送・昇降システムを実現することを目的とするものである。
【０００７】
【課題を解決するための手段】
上記目的を達成するために、本発明の穀類計量搬送・昇降システムは、穀類を袋に充填して計量したのち下流側へ搬送するための計量搬送器と、前記計量搬送器の下流側に配設された前記穀類が充填された袋を下流側へ搬送するための下流側へ向かって下り勾配である傾斜ローラコンベアと、前記傾斜ローラコンベアの下流側に配設された前記穀類が充填された袋を所定の高さの上昇位置へ上昇させるための昇降装置とを備えた穀類計量搬送・昇降システムであって、前記計量搬送器は、秤量台と、前記秤量台上に下流側に向かって下り勾配になるように傾斜自在に配設された傾斜角度可変ローラコンベアと、前記秤量台の両側部に前記傾斜角度可変ローラコンベアと干渉しないように立設された一対の袋立て器を備え、屈曲部が枢着された略Ｌ字状に屈曲したレバーの一端側に一体的に設けられたペダルを踏み込むと前記傾斜角度可変ローラコンベアが下流側に向かって下り勾配に傾斜するように構成されていることを特徴とするものである。
【０００８】
また、傾斜ローラコンベアおよび傾斜角度可変ローラコンベアには、それぞれ大径ローラと小径ローラとが交互に配設されたものとする。
【０００９】
【発明の実施の形態】
本発明の実施の形態を図面に基づいて説明する。
【００１０】
図１は、一実施の形態による穀類計量搬送・昇降システムを示す説明図であり、計量搬送器１と、計量搬送器１の搬送方向下流側に順次配設された傾斜ローラコンベア３０および昇降装置４０を備えている。以下、計量搬送器１、傾斜ローラコンベア３０および昇降装置４０について分説する。
【００１１】
計量搬送器１は、ベース６上に複数の高さ調整用脚７を介して支持されている秤量台２と、秤量台２の上面に配設された傾斜角度可変ローラコンベア３と、秤量台２の両側部に傾斜角度可変ローラコンベア３を間に挟むように配設された一対の袋立て器２０を備えている。
【００１２】
傾斜角度可変ローラコンベア３は、一端側が秤量台２の傾斜ローラコンベア側端部にヒンジ４を介して枢着された底板３ａと、底板３ａ上に平行に設けられた一対の側枠３ｂと、両側枠３ｂの長手方向に互いに間隔をおいて配設された複数のローラ５を備えており、各ローラ５の両側端部が側枠３ｂに回転自在に軸支されているとともに、底板３ａの他端側は秤量台２の反ヒンジ側端から外方へ突出している。
【００１３】
ベース６上の底板３ａの他端側の下方部位には、略Ｌ字状に屈曲したレバー８の屈曲部が枢軸９を介して枢着されており、レバー８の一端側に一体的に設けられたペダル１０を踏み込むと他端側がスプリング１２の弾発力に抗して上方（図示反時計方向）へ回動し、他端側に設けられた当接ローラ１１が底板３ａの下面に当接して押し上げ、図４に示すようにヒンジ４を回動支点として傾斜角度可変ローラコンベア３が所定の角度まで回動し、傾斜ローラコンベア３０側（下流側）へ向かって下り勾配に傾斜させることができるように構成されている。
【００１４】
一対の袋立て器２０は、傾斜角度可変ローラコンベア３と干渉しないように秤量台２の両側部にそれぞれ立設されたガイド筒２１と、ガイド筒２１に上下動自在に嵌挿されているとともに図示しないスプリングにより所定の高さに突出するように常時付勢された支柱２２と、支柱２２の上端部に配設された袋の開口部を挟持するための挟持手段２３を備え、挟持手段２３により空の袋２５の開口部近傍を挟持させると、傾斜角度可変ローラコンベア３上において空の袋２５が倒れないように保持しておくことができる。
【００１５】
なお、袋立て器は、上述したものに限らず、他の公知のものに変更することができる。
【００１６】
傾斜ローラコンベア３０は、複数の高さ調整用脚３４に支持された底板３１と、底板３１上に平行に設けられた上縁部が昇降装置４０へ向かって、下り勾配で傾斜する一対の側枠３２と、側枠３２の上縁部に沿って互いに間隔をおいて配設された複数のローラ３３を備えており、各ローラ３３の両側端部が側枠３２に回転自在に軸支されている。
【００１７】
昇降装置４０は、基台４１上に平行に突設された一対の直立枠体４２と、直立枠体４２に配設された図示しないレールやロール等の案内手段を介して昇降自在に案内された昇降台４３と、昇降台４３に突設された載置板４４と、昇降台４３を昇降させるためのエンドレスチェーン４５と、エンドレスチェーン４５を正逆回転させる駆動機構４６を備え、駆動機構４６によりエンドレスチェーン４５を正逆回転させることによって昇降台４３とともに載置板４４を図示下降位置と所定の高さの上昇位置とに昇降できるように構成されている。
【００１８】
なお、昇降装置は、上述したものに限らず他の公知のものを用いることができることはいうまでもない。
【００１９】
本実施の形態において、図２に示すように、袋立て器２０の挟持手段２３によって袋２５の開口部近傍を挟持して傾斜角度可変ローラコンベア３上に倒れないように載置したのち、袋２５内に穀類を充填して計量を行なう。
【００２０】
なお、計量作業は、図３に示すように、計量搬送器１の側方に縦型穀類選別機６０を配置し、該縦型穀類選別機６０の貯留タンク６１の落下口６２のシャッタ６３を開閉して行なうことも可能である。
【００２１】
計量完了後、図４に示すように、ペダル１０を足で踏み込むと、レバー８がスプリング１２の弾発力に抗して反時計方向へ回動して当接ローラ１１が底板３ａの下面に当接して押し上げ、傾斜角度可変ローラコンベア３が傾斜ローラコンベア３０側に向かって下り勾配になるように傾斜する。その結果、穀類が充填された袋２５に対し、白抜き矢印方向へのわずかな力を加えるだけでローラ５上を滑り、傾斜ローラコンベア３０のローラ３３上に搬送することができる。
【００２２】
傾斜ローラコンベア３０のローラ３３上において、穀類が充填された袋２５の開口部を閉鎖したのち、白抜き矢印方向へのわずかな力を加えると、前記袋２５は昇降装置４０に向かってローラ３３上を滑り、下降位置にある昇降台４３の載置板４４上に苦もなく載置することができる。
【００２３】
載置板４４に穀類が充填された袋２５が正しく（落下のおそれがない状態）載置されると、昇降台４３とともに載置板４４が所定の高さの上昇位置まで上昇し、穀類が充填された袋２５が自動的に持ち上げられる。
【００２４】
図５は、一変形例による穀類計量搬送・昇降システムを示す説明図である。
【００２５】
本変形例は、計量搬送器５１の傾斜角度可変ローラコンベア５３が、交互に配設された大径ローラ５５ａと小径ローラ５５ｂを備えており、また、傾斜ローラコンベア７０が交互に配設された大径ローラ７３ａと小径ローラ７３ｂを備えている点が、図１に示した一実施の形態による穀類計量搬送・昇降システムと異なり、これ以外は同様でよい。以下、同一部分は同一符号を付して説明は省略し、異なる部分について説明する。
【００２６】
図５に示すように、傾斜角度可変ローラコンベア５３は、底板３ａ上に平行に設けられた一対の側枠３ｂに、長手方向に互いに間隔をおいて配設された複数の大径ローラ５５ａと、各大径ローラ５５ａ間の略中間部にそれぞれ配設された複数の小径ローラ５５ｂとを備えている。
【００２７】
また、傾斜ローラコンベア７０は、底板３１上に平行に設けられた上辺部が反計量器側へ下り勾配で傾斜する一対の側枠３２に、長手方向に互いに間隔をおいて配設された複数の大径ローラ７３ａと、各大径ローラ７３ａ間の略中間部にそれぞれ配設された複数の小径ローラ７３ｂをと備えている。
【００２８】
本変形例では、傾斜角度可変ローラコンベア５３および傾斜ローラコンベア７０上において、大径ローラ５５ａ、７３ａおよび小径ローラ５５ｂ、７３ｂにより穀類が充填された袋２５の底部が支持されているため、各ローラ間の間隙部から下方へ落ち込んで波形に変形する変形量が小さくなる。その結果、傾斜角度可変ローラコンベア５３および傾斜ローラコンベア７０上における穀類が充填された袋２５の滑りが良くなり、作業者の移送作業の負担をより軽減することができる。
【００２９】
【発明の効果】
本発明は、上述のとおり構成されているので、次に記載するような効果を奏する。
【００３０】
秤量台の上面に配設された傾斜角度可変ローラコンベアは、ペダルを足で踏み込むことにより、下流側に配設された傾斜ローラコンベア側へ向かって下り勾配になるように傾斜させることができ、しかも傾斜ローラコンベアは下流側へ向かって下り勾配になっている。このため、作業者がわずかな力を穀類が充填された袋に加えるだけで下流側へ向けて搬送することができ、作業者にかかる負担が軽くなる。
【００３１】
また、従来例のようにベルトコンベアやローラコンベアの起動および停止を制御する制御装置等を設ける必要がないため、製造コストを著しく低減することができる。
【図面の簡単な説明】
【図１】本発明に係る穀類計量搬送・昇降システムの一実施の形態を示す説明図である。
【図２】本発明による計量搬送作業の一例を示す説明図である。
【図３】本発明による計量搬送作業の他の例を示す説明図である。
【図４】図１に示す穀類計量搬送・昇降システムの動作を示す説明図である。
【図５】本発明に係る穀類計量搬送・昇降システムの一変形例を示す説明図である。
【図６】従来の穀類計量搬送・昇降システムの一例を示す説明図である。
【符号の説明】
１，５１    計量搬送器
２    秤量台
３，５３    傾斜角度可変ローラコンベア
３ａ，３１    底板
３ｂ，３２    側枠
４    ヒンジ
５，３３    ローラ
６    ベース
７，３４    高さ調整用脚
８    レバー
９    枢軸
１０    ペダル
１１    当接ローラ
１２    スプリング
２０    袋立て器
２１    ガイド筒
２２    支柱
２３    挟持手段
３０，７０    傾斜ローラコンベア
４０    昇降装置
４１    基台
４２    直立枠体
４３    昇降台
４４    載置板
４５    エンドレスチェーン
４６    駆動機構
５５ａ，７３ａ    大径ローラ
５５ｂ，７３ｂ    小径ローラ
６０    縦型穀類選別機
６１    貯留タンク
６２    落下口
６３    シャッタ
【図１】
0003891532.tif 000002
【図２】
0003891532.tif 000003
【図３】
0003891532.tif 000004
【図４】
0003891532.tif 000005
【図５】
0003891532.tif 000006
【図６】
0003891532.tif 000007